(57)【要約】      （修正有）【課題】持ち歩きに便利な携帯用ゲーム具及びそのゲーム盤を提供する。【解決手段】携帯用ゲーム具１０は、ゲーム盤１２と、容器本体１６ａ，１６ｂとを備えるものである。ゲーム盤１２、及び、ゲーム盤１２の対戦者側に連結される容器本体１６ａ，１６ｂとの連結部分には、折り目２５ａ，２５ｂ，２５ｃ，２５ｄ，２５ｅが形成されている。折り目２５ａ，２５ｂ，２５ｃ，２５ｄ，２５ｅにおいて交互に山折りと谷折りを繰り返すことにより、ゲーム盤１２及びゲーム具１０を蛇腹折りにすることができることから、携帯時にゲーム具１０を小さくすることができる。また、ゲーム具１０は、ゲーム盤１２に容器本体１６ａ，１６ｂを一体に設けるものであるため、碁石をゲーム盤１２と一緒に携行することができ、かつ、碁石又は駒の置き場所も確保することができることから、ゲーム部品の紛失を防止できる。【選択図】図３
2013215315.tif 000002
【特許請求の範囲】
【請求項１】
碁石や駒を配置する板状のゲーム盤であって、そのゲーム盤を蛇腹折りするための折り目を備えることを特徴とする携帯用ゲーム具のゲーム盤。
【請求項２】
請求項１記載のゲーム盤の対戦者側両端に前記碁石又は駒を収納する容器を備え、ゲーム盤と容器との連結部に折り目を備えることを特徴とする携帯用ゲーム具。
【請求項３】
前記容器の上面を開放し、その開口部を塞ぐ蓋部を備えることを特徴とする請求項２記載の携帯用ゲーム具。
【請求項４】
前記容器に仕切り部を設けることを特徴とする請求項３記載の携帯用ゲーム具。
【発明の詳細な説明】
【技術分野】
【０００１】
本発明は、盤上に碁石又は駒を配置するゲームに用いる携帯用ゲーム具及びそのゲーム盤に関するものである。
【背景技術】
【０００２】
囲碁、将棋、オセロ、チェス等のゲームは、盤上に碁石（黒石・白石）又は駒等を配置して勝敗を競うゲームである。これらのゲームは、移動時間や空き時間でも手軽にできることから、そのゲーム具として、携帯用のものが提案されている（例えば、特許文献１）。
【先行技術文献】
【特許文献】
【０００３】
【特許文献１】実用新案登録第３０５０２６２号
【発明の概要】
【発明が解決しようとする課題】
【０００４】
特許文献１のゲーム盤は、ゲーム盤本体の側面に開口部を形成し、その開口部に碁石又は駒のゲーム部品を収容できる収容筺を摺動自在に設けたものである。これにより、ゲーム盤本体とともにゲーム部品を一緒に携行でき、かつ、碁石又は駒の置き場所も確保することによりゲーム部品の紛失を防止できる。
【０００５】
しかし、特許文献１のゲーム盤は、碁石又は駒を配置するゲーム盤本体をそのまま携行するものであり、持ち歩きに不便なものであった。
【０００６】
本発明は、上記問題を解決するものであって、持ち歩きに便利な携帯用ゲーム具及びそのゲーム盤を提供することを目的とするものである。
【課題を解決するための手段】
【０００７】
本発明の携帯用ゲーム具のゲーム盤は、碁石や駒を配置する板状のゲーム盤であって、そのゲーム盤を蛇腹折りするための折り目を備えるようにしたものである。
【０００８】
本発明の携帯用ゲーム具は、前記ゲーム盤の対戦者側両端に前記碁石又は駒を収納する容器を備え、ゲーム盤と容器との連結部に折り目を備えるようにしたものである。
また、前記容器の上面を開放し、その開口部を塞ぐ蓋部を備えるようにしたものである。
また、当該容器に仕切り部を設けるようにしたものである。
【発明の効果】
【０００９】
本発明の携帯用ゲーム具及びそのゲーム盤は、ゲーム盤を蛇腹折りに折り畳むことができるものである。これにより、ゲーム盤を小さくすることができるため、携帯に便利である。
【００１０】
本発明の携帯用ゲーム具は、前記ゲーム盤に配置する碁石又は駒を収納する容器をゲーム盤に一体に設けることにより、碁石又は駒をゲーム盤と一緒に携行することができ、かつ、碁石又は駒の置き場所も確保することができることから、ゲーム部品の紛失を防止できる。
また、容器上面を開放することにより、ゲーム盤の対戦者側に碁笥（ごけ）を設けることができる。また、容器に仕切り部を設けることにより、たとえば仕切られた一方の容器を碁笥本体として使用し、他方の容器を碁笥の蓋（いわゆるあげはまを収納する場所）として利用することができる。
【図面の簡単な説明】
【００１１】
【図１】本発明の携帯用ゲーム具及びそのゲーム盤の構成を表わす図である。
【図２】図１のＡ−Ａ拡大断面図である。
【図３】本発明の携帯用ゲーム具及びそのゲーム盤を折り畳む状態を表わす図である。
【発明を実施するための形態】
【００１２】
本発明は、携帯時にゲーム具を小さくすることを実現するものである。
【実施例】
【００１３】
本発明の携帯用ゲーム具及びそのゲーム盤を図に基づいて説明する。図１は、本発明の携帯用ゲーム具及びそのゲーム盤の構成を表わす図である。図２は、図１のＡ−Ａ拡大断面図である。図３は、本発明の携帯用ゲーム具及びそのゲーム盤を折り畳む状態を表わす図である。図３（ａ）は本発明のゲーム具及びそのゲーム盤の山折りと谷折りを表わす図であり、同図（ｂ）は本発明のゲーム具（蓋部を除く）及びそのゲーム盤を折り畳んだ状態を表わす図であり、同図（ｃ）は同図（ｂ）の容器本体に蓋部を取り付けた状態を表わす図である。なお、図１乃至図３のゲーム具１０及びそのゲーム盤１２は、囲碁ゲームに使用するものである。
携帯用ゲーム具１０は、ゲーム盤１２と、碁石１４（黒石１４ａ、白石１４ｂ）を収納する容器本体１６ａ，１６ｂと、容器本体１６ａ，１６ｂの開口部１８ａ，１８ｂを塞ぐ蓋部２０ａ，２０ｂとを備えるものである。ゲーム盤１２上には、直交する縦横それぞれ同じ本数の線分（格子縞）が引かれている。ゲーム盤１２は、縦横１９本ずつの１９路盤である。携帯用ゲーム具１０は、囲碁の碁盤、碁笥、碁石に相当するものを備えるものである。ゲーム具１０において、ゲーム盤１２は碁盤として、容器本体１６ａ，１６ｂは碁笥（ごけ）として、使用される。容器本体１６ａには、ゲーム盤１２上に配置する黒石１４ａが収納され、容器１６ｂには白石１４ｂが収納されている。
なお、図１において、蓋部２０ａ，２０ｂは、それらの裏面を表わしているものである。
【００１４】
ゲーム盤１２は、４枚の矩形の板状部材１２ａ，１２ｂ，１２ｃ，１２ｄにより形成されている。板状部材１２ａ，１２ｂ，１２ｃ，１２ｄは並列に並べられ、隣り合う板状部材がそれぞれ連結され当該ゲーム盤１２を形成している。板状部材１２ａ，１２ｂ，１２ｃ，１２ｄは、同一の部材である。
容器本体１６ａ，１６ｂは、所定の深さを有し、矩形に形成されたものである。それぞれゲーム盤１２の対戦者側の板状部材１２ａと１２ｄに並列に連結され、ゲーム盤１２に一体に設けられている。なお、容器本体１６ａ，１６ｂの広さ（縦、横の長さ）は、板状部材１２ａ，１２ｂ，１２ｃ，１２ｄの広さ（縦、横の長さ）と同じに設定されている。
【００１５】
容器本体１６ａと板状部材１２ａ、板状部材１２ｂと板状部材１２ｃ、板状部材１２ｄと容器本体１６ｂは、それぞれそれらの底面に取り付けられる帯状の連結部材（シート状の部材）２２ａ、２２ｃ、２２ｅを介して連結されている。他方、板状部材１２ａと板状部材１２ｂ、板状部材１２ｃと板状部材１２ｄは、それぞれそれらの上面（格子縞が描かれている面）に取り付けられる帯状の連結部材２２ｂ、２２ｄ（いずれも透明なもの）を介して連結されている（図２）。
上記連結部材２２ａ，２２ｂ，２２ｃ，２２ｄ，２２ｅによる連結により、板状部材１２ａ，１２ｂ，１２ｃ，１２ｄの連結部２４ｂ，２４ｃ，２４ｄおよび容器本体１６ａ，１６ｂと板状部材１２ａ，１２ｄの連結部２４ａ，２４ｅが形成される（図２）。それらの連結部２４ａ，２４ｂ，２４ｃ，２４ｄ，２４ｅによりゲーム盤１２に折り目（折り筋）２５ａ，２５ｂ，２５ｃ，２５ｄ，２５ｅが備えられる。折り目２５ａ，２５ｃ，２５ｅにおいてゲーム盤１２を山折りにし、折り目２５ｂ，２５ｄにおいて谷折りにする（図３（ａ））。このように、折り目２５ａ，２５ｂ，２５ｃ，２５ｄ，２５ｅにおいて交互に山折りと谷折りを繰り返すことにより、ゲーム盤１２を蛇腹折りにすることができる（図３（ａ）および（ｂ））。これにより、携帯時にゲーム具１０を小さくすることができる。また、その携帯時のゲーム具１０の大きさは、板状部材１２ａの広さ、及び、板状部材１２ａ，１２ｂ，１２ｃ，１２ｄと容器１６ａ，１６ｂを重ねた厚さからなり、ゲーム具１０を持ち歩きに便利な形態（大きさ・形状）に形成（変形）することができる（図３（ｂ））。
なお、図１乃至図３における連結部材２２ａ乃至２２ｅは、帯状のものであるが、これに限定されるものではない。
【００１６】
ゲーム具１０は、ゲーム盤１２に容器本体１６ａ，１６ｂを一体に設けるものである。従って、容器本体１６ａ，１６ｂに蓋部２０ａ，２０を取り付けることにより（図３（ｃ））、碁石１４ａ，１４ｂをゲーム盤１２と一緒に携行することができ、かつ、碁石又は駒の置き場所も確保することができることから、碁石等のゲーム部品の紛失を防止できる。
【００１７】
ゲーム具１０の容器本体１６ａ，１６ｂは、その上面が開放されている。碁笥本体から碁石を取り出すように、容器本体１６ａ，１６ｂの開口部１８ａ，１８ｂから碁石１４ａ，１４ｂを取り出すことができる。容器本体１６ａ，１６ｂの上面を開放することにより、ゲーム盤１２の対戦者側に碁笥（ごけ）を設けることができる。
【００１８】
また、容器本体１６ａ，１６ｂの開口部１８ａ，１８ｂを蓋部２０ａ，２０ｂで塞ぐことにより、碁石１４ａ，１４ｂをゲーム具１０に確実に収納することができ、碁石１４ａ，１４ｂの紛失を防止できる。
蓋部２０ａ，２０ｂは、容器本体１６ａ，１６ｂを蓋う大きさに設定されている。ゲーム終了後、容器本体１６ａ，１６ｂに碁石１４ａ，１４ｂを収納した後（図１）、容器本体１６ａ，１６ｂに蓋部２０ａ，２０ｂを取り付けることにより、ゲーム具１０に碁石１４ａ，１４ｂを収容でき、ゲーム具１０と一緒に携行できる（図３（ｃ））。
【００１９】
また、容器本体１６ａ，１６ｂには仕切り部２６が設けられている。これにより、仕切り部２６で仕切られた一の収納部２８ａに碁石１４ａ，１４ｂを収納し、他の収納部２８ｂにゲームで取った碁石１４ａ，１４ｂ（いわゆるあげはま）を収納することができる。このように、容器本体１６ａ，１６ｂを仕切り部２６で二分することにより、仕切られた一方の収納部２８ａを碁笥本体として使用し、他方の収納部２８ｂを碁笥の蓋（あげはまを収納する場所）として利用することができる。
【００２０】
上記実施例では、上面を開放した容器本体１６ａ，１６ｂを備えるゲーム具について説明したが、上面が開放されていない容器１６ａ，１６ｂであってもよい。この場合、容器１６ａ，１６ｂに碁石又は駒を収納する引き出し部（容器内部に取り付けて、抜き差しができるようにした箱）を設ける。なお、上面が開放されていない容器１６ａ，１６ｂとする場合は、蓋部２０ａ，２０ｂは容器１６ａ，１６ｂに一体に形成される。
【００２１】
本発明のゲーム盤１２は板状のものであって、そのゲーム盤１２を蛇腹折りするための折り目２５ｂ，２５ｃ，２５ｄを備えるものであればよく、上例の板状部材１２ａ，１２ｂ，１２ｃ，１２ｄと連結部材２２ｂ乃至２２ｄから形成されるものに限定されるものではない。また、ゲーム盤１２の厚さ又は素材についても限定されるものではない。
【符号の説明】
【００２２】
１０  携帯用ゲーム具
１２  ゲーム盤
１４ａ、１４ｂ  碁石
１６ａ、１６ｂ  容器
１８ａ、１８ｂ  開口部
２０ａ，２０ｂ  蓋部
２４ａ，２４ｅ  連結部
２５ａ，２５ｂ，２５ｃ，２５ｄ，２５ｅ  折り目
２６  仕切り部
【図１】
2013215315.tif 000003
【図２】
2013215315.tif 000004
【図３】
2013215315.tif 000005